(57)【要約】      （修正有）【課題】スペース効率が良く、組み付けが容易でかつアンテナ性能を向上させることができるアンテナ装置を提供する。【解決手段】フレキシブルプリント配線基板２のループアンテナが配線された領域２ａとアンテナ部品が実装された領域２ｂとが複数の接続部４において折り曲げられ異なる平面に配置され、ループアンテナが配線された領域２ａは撮像装置内部において両面テープで固定され、アンテナ部品が実装された領域２ｂのループアンテナが配線された領域とは反対側に舌片部が配置され、舌片部が撮像装置の外装部材に設けられた切り欠き部に入り込んで位置が固定される。【選択図】図１
2015097324.tif 000002
【特許請求の範囲】
【請求項１】
ループアンテナが配線された領域と、アンテナ部品が実装された領域と、前記２つの領域が複数の接続部によって繋がっているフレキシブルプリント配線基板を有するアンテナ装置およびそれを備えた撮像装置において、
前記フレキシブルプリント配線基板の前記ループアンテナが配線された領域と前記アンテナ部品が実装された領域とが、前記複数の接続部において折り曲げられ、前記２つの領域が異なる平面に配置され、
前記ループアンテナが配線された領域は前記撮像装置内部において両面テープで固定され、
前記アンテナ部品が実装された領域の前記ループアンテナが配線された領域とは反対側に舌片部が配置され、
前記舌片部が前記撮像装置の外装部材に設けられた切り欠き部に入り込んで位置が固定されることを特徴とするアンテナ装置およびそれを備えた撮像装置。
【請求項２】
前記舌片部が前記外装部材に設けられた切り欠き部に入り込んだ際、反対側から舌片部が見えることを特徴とする請求項１に記載のアンテナ装置およびそれを備えた撮像装置。
【請求項３】
前記舌片部にはアンテナに関する情報が記載されていることを特徴とする請求項１又は請求項２に記載のアンテナ装置およびそれを備えた撮像装置。
【請求項４】
前記複数の接続部は、前記ループアンテナが配線された領域と前記アンテナ部品が実装された領域との間の領域の両端部に配置されることを特徴とする請求項１乃至請求項３の何れか１項に記載のアンテナ装置およびそれを備えた撮像装置。
【請求項５】
前記舌片部は、前記複数の接続部が延長された領域とは重ならない中央部に配置されることを特徴とする請求項１乃至請求項４の何れか１項に記載のアンテナ装置およびそれを備えた撮像装置。
【発明の詳細な説明】
【技術分野】
【０００１】
本発明は、アンテナ装置、およびそれを備えた撮像装置に関するものであり、特にスペース効率が良く、組み付けが容易でかつアンテナ性能を向上させることができるアンテナ装置とその配置方法に関する。
【背景技術】
【０００２】
近年では携帯電話や無線ＬＡＮが一般に普及し、様々な電子機器において無線装置を利用した機能が搭載され、今後ますます利便性の高い無線サービスの提供が進むことが予想される。特に、撮像装置において無線装置を利用した機能として、撮影した画像を他の携帯電子機器に転送し、さらにソーシャルネットワーキングサービス（ＳＮＳ）などにアップロードするといったことが挙げられる。
【０００３】
一方、無線ＬＡＮなどを利用する際には、各電子機器において無線ＬＡＮを利用したネットワークに接続することが必要であり、その作業は各電子機器において様々で煩雑なものであるため、利用者によっては準備に手間がかかる恐れがある。
【０００４】
そこで近年では、煩雑な無線接続作業を必要とせず、簡単な作業で通信が可能となる近距離無線通信の利用が広まっている。各電子機器に近距離無線通信用のアンテナ装置を配置し、それらをお互いに近づけるだけで機器間での通信が可能となる。また、その応答速度も早く、時間の短縮化が可能といった利点がある。
【０００５】
このような近距離無線通信のアンテナ装置において多く使われているものとして、ループアンテナがある。このアンテナは、帯状のアンテナ導体をループ状にして筐体内に、その開口を外方に向けて配置され、かつ給電部を介して無線機の部品基板に連結されている。このアンテナは、筐体内に内蔵することができるため携帯性に優れ、取り付ける筐体に応じて形状を変化させることで様々な電子機器に取り付けることができる。
【０００６】
しかし、ループアンテナは磁界型アンテナであるため、アンテナの開口近くにある金属物体の影響を受けて実効開口面が小さくなり、アンテナの損失抵抗に対し放射抵抗が小さくなる。その結果、アンテナ周囲の構成や装置基板、装置部品の影響により、アンテナ利得が劣化するという問題が生じる。また、撮像装置に内蔵する際には、筐体の内周辺部アンテナを配置することが望ましい。しかしながら、当該個所へのアンテナの配置と、近年における電子機器の高性能化や小型化により、アンテナの物理的サイズを小型化せざるを得ず、その結果、従来のアンテナ性能を維持することが困難となりつつある。その理由としては、ループアンテナの開口面積が大きいほどアンテナ性能が向上することが挙げられる。
【０００７】
限られたアンテナ占有領域を最大限に利用して十分なアンテナ性能を確保することができるアンテナ装置として、基板に形成されたグランドとアンテナ占有領域とグランドに設けたスリット部を用いて、アンテナ性能を向上させるためにインダクタ、コンデンサの配置を含めてアンテナ占有領域を大きくしつつグランド面への高周波電流を抑制することができるという技術が提案されている（特許文献１）。
【先行技術文献】
【特許文献】
【０００８】
【特許文献１】特開２０１２−１５１６２５号公報
【発明の概要】
【発明が解決しようとする課題】
【０００９】
しかし、上記特許文献１のようにアンテナ性能を向上させるために新たに部品を追加した場合、その分だけ基板面積が大きくなり、相対的にアンテナ領域が減少してしまうため、アンテナ性能が低下してしまう恐れがある。
【００１０】
そこで、本発明の目的は、スペース効率が良く、組み付けが容易でかつアンテナ性能を向上させることができるアンテナ装置とその配置方法に係るアンテナ装置および撮像装置を提供するものである。
【課題を解決するための手段】
【００１１】
上記目的を達成するために、本発明は、ループアンテナが配線された領域と、アンテナ部品が実装された領域と、前記２つの領域が複数の接続部によって繋がっているフレキシブルプリント配線基板を有するアンテナ装置およびそれを備えた撮像装置において、前記フレキシブルプリント配線基板の前記ループアンテナが配線された領域と前記アンテナ部品が実装された領域とが、前記複数の接続部において折り曲げられ、前記２つの領域が異なる平面に配置され、前記ループアンテナが配線された領域は前記撮像装置内部において両面テープで固定され、前記アンテナ部品が実装された領域の前記ループアンテナが配線された領域とは反対側に舌片部が配置され、前記舌片部が前記撮像装置の外装部材に設けられた切り欠き部に入り込んで位置が固定されることを特徴とする。
【発明の効果】
【００１２】
本発明によれば、フレキシブルプリント配線基板のループアンテナ部と部品実装部を異なる平面に配置し、アンテナ領域を拡大して性能向上させるとともに、フレキシブルプリント配線基板を１枚の両面テープと舌片部の挿し込みによって固定することで組み付けが容易で組み付け確認が可能となる。
【図面の簡単な説明】
【００１３】
【図１】本発明の実施例の一例であるアンテナ基板をデジタルカメラのサイドカバーに取り付けた斜視図である。
【図２】（ａ）は本発明の実施例の一例であるアンテナ基板の斜視図、（ｂ）は（ａ）に示すアンテナ基板の展開図である。
【図３】本発明の実施例の一例であるアンテナ基板をデジタルカメラのサイドカバーに取り付け、さらにサイドカバーをデジタルカメラに取り付けた斜視図である。
【図４】本発明の実施例の一例であるアンテナ基板をデジタルカメラのサイドカバーに取り付けた背面図である。
【発明を実施するための形態】
【００１４】
以下に、本発明の実施形態を、図面を参照して説明する。
【００１５】
図１は、本発明のアンテナ装置および撮像装置の実施形態の一例であるアンテナ基板をデジタルカメラのサイドカバーに取り付けた斜視図である。
【００１６】
図１に示すように、１はデジタルカメラ筐体の内側から見たサイドカバー、２はアンテナ基板、２ａはアンテナ基板のループアンテナ部、２ｂはアンテナ基板２の部品実装部、３はアンテナ回路部品、４はループアンテナ部と部品実装部を繋ぐ接続部、５はアンテナの通信性能を向上させるための磁性シート、６はサイドカバーの切り欠きである。
【００１７】
図２（ａ）は、図１に示すアンテナ基板の斜視図、図２（ｂ）は、図１に示すアンテナ基板の展開図である。図２に示すように、７はアンテナ基板をサイドカバー１に取り付けるための舌片部である。
【００１８】
図３は、図１に示すサイドカバー１をデジタルカメラ本体に取り付けた側面図である。
【００１９】
アンテナ基板２はフレキシブルプリント配線基板であり、ループアンテナ部２ａと部品実装部２ｂとが２つの接続部４によって繋がっている。部品実装部２ｂにはアンテナ性能に関わるコンデンサやＩＣなどの電子部品が複数搭載されている。アンテナ回路部品３はアンテナ基板２上の配線パターンにより電気的に接続され、配線パターンは接続部４を通りループアンテナ部２ａにおいてアンテナ基板２の両面でループアンテナが形成されている。ループアンテナ部２ａは近距離無線通信を行う際に、対向機である携帯電話やタブレットなどの電子機器と近づける必要があるため、筐体内部において外装側に近づける必要がある。
【００２０】
本実施例においては、アンテナ基板２はデジタルカメラの側面に配置され、該箇所にはサイドカバー１が組み込まれる。また、サイドカバー１にはループアンテナ部２ａ以外にも、不図示のポップアップストロボをポップアップさせるためのスライドレバーや、その他の機能のボタンが配置されており、ループアンテナ部２ａはその間に配置せざるを得ない。従来、アンテナ基板２はループアンテナ部２ａと部品実装部２ｂは同平面に近接して配置されていた。しかし、上記構成にするとアンテナ基板２単体としては小型化になるが、部品実装部２ｂが配置されている分だけループアンテナ部２ａの領域が小さくなってしまい、アンテナ性能が減少してしまっていた。本実施例においては、アンテナ性能を向上させるために、部品実装部２ｂをループアンテナ部２ａと異なる平面に配置することで、ループアンテナ部２ａの領域を限られた領域の中で最大限活用することができる。
【００２１】
ループアンテナ部２ａは、サイドカバー１に設けられたループアンテナ部２ａに対応する大きさの凹部に合わせて配置され、両面テープによってサイドカバー１に固定される。さらに、ループアンテナ部２ａの両面テープとは反対面には、焼結体フェライトなどで構成される磁性シートが貼り付けられる。磁性シートは透磁率の実部が高いため、磁束をシートに集中させ、且つ透磁率の虚部が低いため、磁束がシート内で磁気損失することなく流れていき、近距離無線通信時における通信距離が増加し通信を良好にさせる効果がある。
【００２２】
一方、部品実装部２ｂはループアンテナ部２ａとは異なる平面に配置される。本実施例においては、ループアンテナ部２ａと９０度異なる平面に配置されている。部品実装部２ｂとループアンテナ部２ａの間の接続部４においてアンテナ基板２は曲げられている。接続部４は、ループアンテナ部２ａと部品実装部２ｂとの間の領域の両端に配置される。接続部４がループアンテナ部２ａと部品実装部２ｂとの間の領域全てに配置されてしまうと、曲げによるコシが強くなってしまい、ループアンテナ部２ａとサイドカバー１を固定している両面テープを剥がしてしまう恐れがあるのを防ぐ効果がある。また、両端に配置することで、曲げによるねじれを生じさせることなく、両端から均等に曲げの力を受けるようにする効果がある。
【００２３】
さらに、アンテナ基板２には舌片部７が配置され、サイドカバー１に配置された切り欠き６に挿し込まれる。部品実装部２ｂ及び舌片部７はアンテナ基板２の曲げにより、図１に示すＸ、Ｚ方向に力が加わるため、ループアンテナ部２ａとは干渉せず、サイドカバー１に押し付けられるようにして配置される。そのため、外力によって筐体に力が加わっても、アンテナ基板２はサイドカバー１に確実に固定されるため、アンテナ性能に影響を及ぼすことがない。また、ループアンテナ部２ａは両面テープ、部品実装部２ｂは曲げの反力と舌片部７の挿し込みによって固定されるため、両面テープを複数用意する必要がなく、組立が容易になる。
【００２４】
図４は、アンテナ基板を取り付けたサイドカバー１をデジタルカメラ筐体に取り付けた状態の斜視図である。
【００２５】
アンテナ基板２をサイドカバー１に取り付けた状態では、デジタルカメラ筐体の背面から見ると、サイドカバー１の切り欠き６部からアンテナ基板２の舌片部７が見える。これにより、組立時にアンテナ基板２が取り付けられていることが確実に確認できる。また、舌片部７に配線パターンなどでアンテナの情報などを記載しておくことで、様々な種類のアンテナを付け替えることが可能であり、識別ができる。
【００２６】
以上、本発明の好ましい実施形態について説明したが、本発明はこれらの実施形態に限定されず、その要旨の範囲内で種々の変形及び変更が可能である。
【符号の説明】
【００２７】
１  サイドカバー
２  アンテナ基板
２ａ  ループアンテナ部
２ｂ  部品実装部
３  アンテナ回路部品
４  接続部
５  磁性シート
６  切り欠き
７  舌片部
【図１】
2015097324.tif 000003
【図２】
2015097324.tif 000004
【図３】
2015097324.tif 000005
【図４】
2015097324.tif 000006